(57)【要約】【課題】  着脱自在な操作ハンドルの全部または一部を別個に梱包や搬送をする手間を省き、さらには取り外した操作ハンドルの全部または一部を遺失することを防止できるようにした弾球遊技機を提供する。【解決手段】  パチンコ機２の前面下部に下部扉６を設け、下部扉６の裏面の略中央に略半球状に穿たれた凹陥部２６と、本体部材３の下部前面に突出された連結板２３ａを掛止することができる略Ｌ字形状のフック２７とで収納部２８を形成する。梱包や搬送時には、手載せ部材２３を連結面２２ａより取り外し、取り外した手載せ部材２３を収納部２８に収納する。【選択図】        図７
2005152446.tif 000002
【特許請求の範囲】
【請求項１】
遊技球が流下する遊技領域を有する遊技盤と、前記遊技盤を保持する基体となる本体部材と、前記遊技盤に対して前記遊技球を発射する遊技球発射装置と、前記遊技盤を観察できる前記本体部材の前面に突設され、前記遊技球発射装置に前記遊技球を供給するための遊技球貯留部を有する供給皿とを備えた弾球遊技機において、
前記供給皿の前端部よりも前方に突出する部位を含み前記本体部材に対して着脱自在な分離部材と、
前記分離部材を収納して保持する収納部を備えたことを特徴とする弾球遊技機。
【請求項２】
前記分離部材は、前記遊技球発射装置を作動させるために操作する発射操作部材に設けられて遊技者の手の一部を載せながら発射操作部材の操作を行うことを可能にする手載せ部材を含む、前記発射操作部材の全部または一部であることを特徴とする請求項１記載の弾球遊技機。
【請求項３】
前記本体部材の前面に開閉自在に軸支される前面扉を備え、前記収納部は、前記本体部材の前面または前記前面扉の内側面の、いずれか一方に設けられた前記分離部材を掛止する掛止部と、他方に設けられた前記分離部材を収納可能な凹陥部とからなることを特徴とする請求項１または請求項２記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
現在、パチンコ店等の遊技場に設置して使用されるパチンコ機の多くは、遊技者が一方の手（例えば右手）で操作ハンドルを所定量回転操作することにより、遊技球発射装置が作動され、遊技領域へ遊技球が打ち出されるようになっている。
【０００３】
近年、遊技者が操作ハンドル等の操作部を操作し易いように、または、長時間連続して操作していても疲れないように、遊技者が手を載せることのできる手載せ部材を設けたりして、前記操作ハンドル等をパチンコ機の前面側に、即ち操作する遊技者に近接するように、大きく突出させるなどしたパチンコ機を提供しようとする傾向がある。
【０００４】
しかし、前記操作ハンドル等を前面側に大きく突出させた場合、梱包が複雑になったり大きくなったりして運搬費用が従来よりも嵩んだり、搬送時にぶつけるなどして破損しないよう注意しなければならなかった。そこで、操作部または操作補助具等の突出する部材の全体または一部をパチンコ機の本体部材に対して着脱自在とし、本体部材と別個に梱包や搬送することが考えられる。
【発明の開示】
【発明が解決しようとする課題】
【０００５】
しかしながら、上記のように操作部または操作補助具等の突出する部材の全部または一部をパチンコ機の本体部材に対して着脱自在とし、本体部材と別個に梱包や搬送する場合、梱包や搬送に手間が掛かり、さらには取り外した操作ハンドルの全部または一部を遺失し易いという問題がある。
【０００６】
本発明は、上記従来技術の問題を考慮してなされたもので、着脱自在な操作ハンドルの全部または一部を別個に梱包や搬送をする手間を省き、さらには取り外した操作ハンドルの全部または一部を遺失することを防止できるようにした弾球遊技機を提供する。
【課題を解決するための手段】
【０００７】
本発明の弾球遊技機は、遊技球が流下する遊技領域を有する遊技盤と、前記遊技盤を保持する基体となる本体部材と、前記遊技盤に対して前記遊技球を発射する遊技球発射装置と、前記遊技盤を観察できる前記本体部材の前面に突設され、前記遊技球発射装置に前記遊技球を供給するための遊技球貯留部を有する供給皿とを備えたものであって、前記供給皿の前端部よりも前方に突出する部位を含み前記本体部材に対して着脱自在な分離部材と、前記分離部材を収納して保持する収納部を備えたことを特徴とするものである。
【０００８】
また、前記分離部材は、前記遊技球発射装置を作動させるために操作する発射操作部材に設けられて遊技者の手の一部を載せながら発射操作部材の操作を行うことを可能にする手載せ部材を含む、前記発射操作部材の全部または一部であることが好適である。
【０００９】
また、前記本体部材の前面に開閉自在に軸支される前面扉を備え、前記収納部は、前記本体部材の前面または前記前面扉の内側面の、いずれか一方に設けられた前記分離部材を掛止する掛止部と、他方に設けられた前記分離部材を収納可能な凹陥部とからなることが好適である。
【発明の効果】
【００１０】
本発明の弾球遊技機によれば、供給皿の前端部よりも前方に突出する部位を含み本体部材に対して着脱自在な分離部材と、分離部材を収納して保持する収納部を備えたので、取り外した分離部材を弾球遊技機の収納部に収納して保持することができ、分離部材を別個に梱包や搬送をする手間を省き、さらには取り外した分離部材を遺失することを防止できる。
【００１１】
また、遊技球発射装置を作動させるために操作する発射操作部材に設けられて遊技者の手の一部を載せながら発射操作部材の操作を行うことを可能にする手載せ部材を含む、発射操作部材の全部または一部を分離部材とすることで、発射操作部材である操作ハンドルを搬送時にぶつけるなどして破損しないようにすることができ、そして、操作ハンドルの全部または一部を別個に梱包や搬送をする手間を省き、さらには取り外した操作ハンドルの全部または一部を遺失することを防止できる。なお、前記供給皿の前端部よりも前方に突出する部分を部分的に着脱自在とし、収納しうるようにすると、収納部の大きさを縮小化できるため好適である。
【００１２】
また、本体部材の前面に開閉自在に軸支される前面扉を備え、収納部が、本体部材の前面または前面扉の内側面の、いずれか一方に設けられた分離部材を掛止する掛止部と、他方に設けられた前記分離部材を収納可能な凹陥部とからなることで、前面扉に分離部材を取り付ける作業を前面扉の内側面から行う場合に、分離部材を取り出すことと前面扉に分離部材を取り付ける作業とを、前面扉を一度だけ開放することによって行うことができ、また、分離部材の保持が、本体部材の前面または前面扉の内側面の、いずれか一方に設けた掛止部材に掛止させることによって行われるので、分離部材の保持及び取り出しをネジ等を用いずに簡易に行うことができる。
【発明を実施するための最良の形態】
【００１３】
図１に、本発明を用いたパチンコ機の外観を示す。パチンコ機（弾球遊技機）２は、基体となる本体部材３に遊技盤４が保持されており、遊技盤４上には遊技領域４ａが形成されている。本体部材３の前面には上部扉５及び下部扉６からなる２枚の前面扉７が本体部材３に対して回動自在となるように、図示しないヒンジ部を介して軸支されている。上部扉５の中央には開口５ａが設けられており、この開口５ａは上部扉５の後側に取り付けられた透光性を有する部材であるガラス８により遮蔽される。なお、上部扉５が閉じている状態では、遊技の際に遊技領域４ａを流下する遊技球や、遊技領域４ａに設けられた構造物は、上記開口５ａを遮蔽するガラス８を介して視認される。
【００１４】
遊技領域４ａには、図示しない障害釘や風車の他に、始動入賞口１０、通常入賞口１１、アタッカ１２、アウト口１３が設けられている。なお、遊技領域４ａ内を流下する遊技球は、始動入賞口１０または通常入賞口１１またはアタッカ１２等の所定入賞口のいずれかに入賞するか、あるいはアウト口１３から回収される。なお、パチンコ機における釘、風車などの構造物は公知であるので説明は省略する。
【００１５】
下部扉６には、供給皿１５、操作ハンドル（発射操作部材）１６が突設されている。また、下部扉６の後方には遊技球発射装置１７が設けられている。供給皿１５には、遊技を開始する際に遊技球を供給する他に、遊技領域４ａを流下する遊技球が、遊技領域４ａに設けられた入賞口のいずれかに入賞したことを受けて払い出し口１８から払い出される賞球としての遊技球が受容するための遊技球貯留部１５ａが設けられている。
【００１６】
操作ハンドル１６は、遊技を行う際に操作される。この操作ハンドル１６を操作すると、遊技球発射装置１７の打ち出し強さが変化する。
【００１７】
図２、図３、及び図４に示すように、操作ハンドル１６は、合成樹脂の成形品である軸部２０、回動部２１、連結部２２、手載せ部材（分離部材）２３から構成される。軸部２０は、下部扉６の内側面からネジを用いた固定などにより下部扉６の前面に固定される。回動部２１は、軸部２０が回動中心となるように軸部２０に回動自在に組み付けられており、この回動部２１を回動させることにより前記遊技球発射装置の発射力は変化する。
【００１８】
連結部２２は、工業用接着剤により回動部２１の前方にて軸部２０に固着されており、回動部２１の軸部２２からの抜けを防止するとともに、手載せ部材２３と連結される連結面２２ａが前面に設けられている。連結面２２ａには略中央にネジ２５を連結部２２裏面から挿通する孔２２ｂが設けられ、連結面２２ａの孔２２ｂの上下には後述する連結板２３ａの上下の移動及び回転を制限する直方体状の突起２２ｃが１つずつ突設されている。なお、連結部２２を軸部２０に固着させる方法は、工業用接着剤による固着方法に限ることなく、かしめ結合、溶着などの公知の固着方法により固着されていれば良い。また、軸部２０と連結部２２とを一体に成形し、これに回動部２１を組み付けるようにしても良い。
【００１９】
手載せ部材２３は、中空の略半球状に形成されており、ネジ２５を用いて連結面２２ａに着脱自在に取り付けられる。遊技者は手載せ部材２３に手のひらや指の付け根などを当てながら指先で回動部２１を操作する。手載せ部材２３の裏面には連結板２３ａが左右に亘って設けられており、連結板２３ａの略中央にはネジ２５と螺合するネジ孔２３ｂが設けられている。手載せ部材２３を連結面２２ａに取り付けるときには、上下の突起２２ｃの間に連結板２３ａを配置し、連結面２２ａの裏面から孔２２に挿通させたネジ２５をネジ孔２３ｂに螺合させて、手載せ部材２３を連結面２２ａに止着する。このとき連結板２３ａは、突起２２ｃ及びネジ２５によって上下左右前後の移動及び回転を制限され、即ち手載せ部材２３は連結面２２ａに上下左右前後の移動及び回転を制限されて取り付けられる。
【００２０】
図５に示すように、連結面２２ａに取り付けられた状態の手載せ部材２３は、供給皿１５の前端部より前方に突出する部位を含む。
【００２１】
図６に示すように、下部扉６の内側面の略中央には手載せ部材２３を内部に収納することができる略半球状に穿たれた凹陥部２６が設けられおり、本体部材３の下部前面には手載せ部材２３の連結板２３ａを掛止することができる略Ｌ字形状のフック（掛止部材）２７が前方に突設されている。凹陥部２６とフック２７とは、手載せ部材２３を収納する収納部２８を形成する。下部扉６を閉じたときに凹陥部２６とフック２７は対向するよう設けられており、手載せ部材２３は、フック２７に連結板２３ａを掛止された状態で、凹陥部２６の内部に収納される。
【００２２】
次に、上記のように構成されたパチンコ機の作用について説明する。梱包や搬送時に手載せ部材２３を取り外す際、先ず、下部扉６を開放し、下部扉６の内側面からネジ２５をネジ孔２３ｂより取り外す。そして、供給皿１５の前端部よりも前方に突出する部位を含む手載せ部材２３を連結面２２ａより取り外す。取り外した手載せ部材２３の連結板２３ａをフック２７に掛止させる。下部扉６を閉じると、図７に示すように、手載せ部材２３は、連結板２３ａをフック２７に掛止された状態で凹陥部２６の内部に収納される。このようにすることで、手載せ部材２３を別個に梱包や搬送をする手間を省き、さらには取り外した手載せ部材２３を遺失することを防止できる。
【００２３】
なお、上記実施形態では、供給皿の前端部よりも前方に突出する部位を含む着脱自在な分離部材を手載せ部材２３としたが、分離部材は供給皿の前端部よりも前方に突出する部位を含んでいれば良く、例えば、遊技の制御と連動して出力作動する演出装置など、適宜の部分を分離部材として良い。
【００２４】
上記実施形態では、手載せ部材２３のみが本体部材に対して着脱自在であったが、手載せ部材２３とともに操作ハンドル１６の全体を本体部材に対して着脱自在としても良い。この場合、収納部の形状は操作ハンドル１６の全体を収納できる形状とすれば良い。
【００２５】
上記実施形態では、収納部２８を下部扉６の内側面に設けた凹陥部２６と、本体部材３の前面に設けたフック２７とでパチンコ機２の内部下方に形成したが、本体部材３の前面に凹陥部を設け、下部扉６の内側面にフックを設けるようにしても良い。また、収納部の形態及び位置は、分離部材を収納できるものであれば良く、パチンコ機２の前面扉７の内側面など、パチンコ機の仕様に応じて適宜の形状及び位置としても良い。
【図面の簡単な説明】
【００２６】
【図１】本発明のパチンコ機の外観を示す斜視図である。
【図２】操作ハンドルの外観を示す斜視図である。
【図３】手載せ部材を取り外した状態の操作ハンドルの外観を示す斜視図である。
【図４】操作ハンドルの側方断面図である。
【図５】手載せ部材を取り付けた状態のパチンコ機を示す右側面図である。
【図６】下部扉を開放した状態のパチンコ機を示す斜視図である。
【図７】収納部に手載せ部材を収納した状態のパチンコ機を示す右側面図である。
【符号の説明】
【００２７】
２  パチンコ機（弾球遊技機）
３  本体部材
４  遊技盤
４ａ  遊技領域
６  下部扉
１５  供給皿
１５ａ  遊技球貯留部
１６  操作ハンドル（発射操作部材）
１７  遊技球発射装置
２３  手載せ部材
２６  凹陥部
２７  フック（掛止部材）
２８  収納部
【図１】
2005152446.tif 000003
【図２】
2005152446.tif 000004
【図３】
2005152446.tif 000005
【図４】
2005152446.tif 000006
【図５】
2005152446.tif 000007
【図６】
2005152446.tif 000008
【図７】
2005152446.tif 000009